【手続補正書】
【提出日】平成23年2月28日(2011.2.28)
【手続補正１】
【補正対象書類名】特許請求の範囲
【補正対象項目名】請求項１
【補正方法】変更
【補正の内容】
【請求項１】
１ゲームに対して所定数の賭数を設定することによりゲームが開始可能となるとともに、各々が識別可能な複数種類の図柄を変動表示可能な可変表示装置に表示結果が導出表示されることにより１ゲームが終了し、該可変表示装置の表示結果に応じて入賞が発生可能とされたスロットマシンであって、
遊技の進行に応じた演出を行う演出装置と、
日時を特定可能とする計時を行なう計時手段と、
該計時手段の計時値に基づいて、予め設定された第１の特定の演出を実行する第１の特定演出実行条件が成立したか否かを判定する第１の判定手段と、
該第１の判定手段により前記第１の特定演出実行条件が成立したと判定されるごとに、前記第１の特定の演出を実行する第１の特定演出実行手段と、
該計時手段の計時値に基づいて、予め設定された第２の特定の演出を実行する第２の特定演出実行条件が成立したか否かを判定する第２の判定手段と、
該第２の判定手段により前記第２の特定演出実行条件が成立したと判定されるごとに、前記第２の特定の演出を実行する第２の特定演出実行手段と、
を含み、
前記第１の特定演出実行条件と、前記第２の特定演出実行条件とは、前記第１の特定演出実行手段が前記第１の特定演出実行条件の判定結果に基づいて前記第１の特定の演出を実行する間隔と、前記第２の特定演出実行手段が前記第２の特定演出実行条件の判定結果に基づいて前記第２の特定の演出を実行する間隔とが異なるように設定されている、
ことを特徴とするスロットマシン。
【手続補正２】
【補正対象書類名】特許請求の範囲
【補正対象項目名】請求項６
【補正方法】変更
【補正の内容】
【請求項６】
前記スロットマシンが稼動を開始したか否かを判定する稼動開始判定手段と、
該稼動開始判定手段により稼動を開始したと判定された稼動開始日時を記憶する記憶手段と、
遊技の進行を制御し、前記演出装置を制御するための演出制御コマンドを送信する遊技制御手段と、
該遊技制御手段から送信された前記演出制御コマンドに基づいて前記演出装置の制御を行なう演出制御手段と、
を更に備え、
前記演出制御手段は、
前記計時手段と、
前記記憶手段と、
前記計時手段の計時により特定される日時が第１の日時となったか否かを判定する第１判定手段と、
該第１判定手段により前記計時手段の計時により特定される日時が前記第１の日時と一致したと判定されたことに基づいて、前記演出装置における演出態様を変更する演出態様変更手段と、
を含み、
前記第１判定手段は、前記記憶手段に記憶された稼動開始日時を基準として前記計時手段の計時により特定される日時が前記第１の日時か否かを判定する、
ことを特徴とする請求項１〜５のいずれかに記載のスロットマシン。
【手続補正３】
【補正対象書類名】明細書
【補正対象項目名】０００６
【補正方法】変更
【補正の内容】
【０００６】
上記課題を解決するために、本発明の請求項１に記載のスロットマシンは、
１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出表示されることにより１ゲームが終了し、該可変表示装置の表示結果に応じて入賞が発生可能とされたスロットマシン（スロットマシン１）であって、
遊技の進行に応じた演出を行う演出装置（液晶表示器５１、演出効果ＬＥＤ５２、スピーカ５３、５４、リールＬＥＤ５５）と、
日時を特定可能とする計時を行なう計時手段（図３のＲＴＣＭ１００）と、
該計時手段の計時値に基づいて、予め設定された第１の特定の演出（図１４等に示すミッション演出を行なう特別演出）を実行する第１の特定演出実行条件が成立した（図６の（ｆ）に示す特別演出の設定日時となった）か否かを判定する第１の判定手段（図３のサブ制御部９１、変形例に示す音制御およびランプ制御のような表示制御以外の演出制御を行なう第１の演出制御用マイクロコンピュータである図３５のサブ制御部９１と、液晶表示器５１の表示制御を行なう第２の演出制御用マイクロコンピュータである図３５の表示制御部９０１とを別の制御基板に設けた場合の２つの演出制御用マイクロコンピュータ（以下、図３のサブ制御部９１等と呼ぶ）、図２４のＳ３３５、図１８のＳ４４２）と、
該第１の判定手段により前記第１の特定演出実行条件が成立したと判定されるごとに、前記第１の特定の演出を実行する第１の特定演出実行手段（図３のサブ制御部９１等、図１８のＳ４４４ｂ、Ｓ４５１、図１９のＳ４７３、図２１のＳ５２６、Ｓ５２７）と、
該計時手段の計時値に基づいて、予め設定された第２の特定の演出（図５の（ａ）、（ｃ）に示す特別チャンス演出）を実行する第２の特定演出実行条件が成立した（図２４のＳ３３８で図６の（ｂ）に示す第１チャンス演出テーブル使用の設定日時となったと判定され、かつ、図２０のＳ５０５、Ｓ５０８、図２１のＳ５２６、Ｓ５２７で特別チャンス演出を実行することが選択された）か否かを判定する第２の判定手段（図３のサブ制御部９１等、図２０のＳ５０５、Ｓ５０８、図２１のＳ５２６、Ｓ５２７）と、
該第２の判定手段により前記第２の特定演出実行条件が成立したと判定されるごとに、前記第２の特定の演出を実行する第２の特定演出実行手段（図３のサブ制御部９１等、図１９のＳ４７２、Ｓ４７３、図２０のＳ５０５、Ｓ５０８、図２１のＳ５２６、Ｓ５２７）とを含み、
前記第１の特定演出実行条件と、前記第２の特定演出実行条件とは、前記第１の特定演出実行手段が前記第１の特定演出実行条件の判定結果に基づいて前記第１の特定の演出を実行する間隔（１週間において毎日数時間間隔という間隔）と、前記第２の特定演出実行手段が前記第２の特定演出実行条件の判定結果に基づいて前記第２の特定の演出を実行する間隔（１週間において１度に設定された期間（１日）中にランダムに決定されるタイミングの間隔）とが異なるように設定されている（図６の（ｂ）、（ｆ））。
このような構成によれば、計時手段の計時値に基づいて予め設定された第１の特定演出実行条件が成立したと判定されるごとに第１の特定の演出が実行され、計時手段の計時値に基づいて予め設定された第２の特定演出実行条件が成立したと判定されるごとに第２特定の演出が実行される。そして、第１の特定演出実行条件と、第２の特定演出実行条件とは、第１の特定演出実行手段が第１の特定演出実行条件の判定結果に基づいて第１の特定の演出を実行する間隔と、第２の特定演出実行手段が第２の特定演出実行条件の判定結果に基づいて第２の特定の演出を実行する間隔とが異なるように設定されている。このように計時手段の計時値に基づいて実行される複数種類の特定の演出が、異なる間隔で実行されることにより、遊技者がこれら特定の演出が実行されるタイミングを予測しづらくなり、特定の演出が実行されるタイミングが変化に富むようになるので、遊技者の興趣を向上させることができる。
【手続補正４】
【補正対象書類名】明細書
【補正対象項目名】００１１
【補正方法】変更
【補正の内容】
【００１１】
本発明の請求項６に記載のスロットマシンは、請求項１〜５のいずれかに記載のスロットマシンであって、
前記スロットマシンが稼動を開始したか否かを判定する稼動開始判定手段（図３のサブ制御部９１、図２５のＳ３６１〜Ｓ３７３）と、
該稼動開始判定手段により稼動を開始したと判定された稼動開始日時を記憶する記憶手段（図３のＲＡＭ３５４、第３実施形態では図３のＲＡＭ９１ｃ）と、
遊技の進行を制御し、前記演出装置（液晶表示器５１、演出効果ＬＥＤ５２、スピーカ５３、５４、リールＬＥＤ５５）を制御するための演出制御コマンド（演出制御コマンド）を送信する遊技制御手段（図３の遊技制御基板４０）と、
該遊技制御手段から送信された前記コマンドに基づいて前記演出装置の制御を行なう演出制御手段（図３の演出制御基板９０）と、
を更に備え、
前記演出制御手段は、
前記計時手段と、
前記記憶手段と、
前記計時手段の計時により特定される日時が第１の日時（図６（ｃ）のプロジェクトの実行日時）となったか否かを判定する第１判定手段（図３のサブ制御部９１、図２４のＳ３２６）と、
該第１判定手段により前記計時手段の計時により特定される日時が前記第１の日時と一致したと判定されたことに基づいて、前記演出装置における演出態様を変更する（図９の（ｄ）のようなプロジェクトを実行する）演出態様変更手段（図３のサブ制御部９１、図２８のＳ４１４）と、
を含み、
前記第１判定手段は、前記記憶手段に記憶された稼動開始日時を基準として前記計時手段の計時により特定される日時が前記第１の日時か否かを判定する（プロジェクトの実行日時は、図２５のＳ３６８により登録された稼動開始日時を基準としてＳ３６９により決定される）、
ことを特徴としている。
この特徴によれば、スロットマシンが稼動を開始したか否かが判定され、稼動を開始したと判定された稼動開始日時が記憶される。そして、記憶手段に記憶された稼動開始日時を基準として計時手段の計時により特定される日時が第１の日時になったか否かが判定されることに基づいて、表示態様が変更される。このように、スロットマシンごとに判定されて記憶された稼動開始日時を基準として計時手段の計時により特定される日時が第１の日時になったか否かが判定されることに基づいて、表示態様が変更されるので、たとえば、スロットマシンを遊技場に導入した日時が同一機種の複数のスロットマシンで異なる場合のように、稼動開始日時が異なるスロットマシンについて、稼動開始日時から表示態様の変更日時までの期間を同じにすることができる。